(57)【要約】【課題】例えば木造や軽量鉄骨造等の建築物に、外壁材や内壁材として取付けられる壁パネルを、単一の種類の取付金具で良好に取付け支持させることができるようにする。【解決手段】建物躯体に上下方向及び又は横方向に並べて敷設される壁パネル２を、その小口面において建物躯体または隣接する壁パネルに取付け支持させるための壁パネル取付金具であって、建物躯体または隣接する壁パネルに取付け支持させるための横断面Ｌ字形の基部１１と、その一方の片のほぼ中央部にそれと一体に且つほぼ垂直に設けられ、隣接する壁パネルの小口面間に介在される腕部１２とを有し、その腕部の両側の基部に、該基部を建物躯体または隣接する壁パネルに取付け支持させるための取付孔１３を設けると共に、腕部を壁パネルの小口面に固定するための木ねじや釘等の固定具の挿通孔１４、または上記小口面に打ち込み固定するための爪部１２ａを腕部に設けたことを特徴とする。【選択図】  図４
2010126974.tif 000002
【特許請求の範囲】
【請求項１】
建物躯体に上下方向及び又は横方向に並べて敷設される壁パネルを、その各壁パネルの小口面において上記建物躯体または隣接する壁パネルに取付け支持させるための壁パネル取付金具であって、
上記建物躯体または隣接する壁パネルに取付け支持させるための横断面Ｌ字形の基部と、そのＬ字形の基部の一方の片のほぼ中央部にそれと一体に且つほぼ垂直に設けられ、隣接する壁パネルの小口面間に介在される腕部とを有し、その腕部の両側の上記基部に、上記取付金具を建物躯体または隣接する壁パネルに取付け支持させるための取付孔を設けると共に、上記腕部を壁パネルの小口面に固定するための木ねじや釘等の固定具の挿通孔、または上記腕部を壁パネルの小口面に打ち込み固定するための爪部を上記腕部に設けたことを特徴とする壁パネル取付金具。
【請求項２】
建物躯体に上下方向及び又は横方向に並べて敷設される壁パネルを、その各壁パネルの小口面において取付金具を介して上記建物躯体または隣接する壁パネルに取付け支持させるようにした壁パネル取付構造であって、
隣接する一方の壁パネルを、その小口面に固定した上記請求項１に記載の壁パネル取付金具よりなる第１の取付金具を介して上記建物躯体に取付けると共に、隣接する他方の壁パネルを、その小口面に固定した上記請求項１に記載の壁パネル取付金具よりなる第２の取付金具を介して上記一方の壁パネルに位置決め保持させるようにしたことを特徴とする壁パネル取付構造。
【発明の詳細な説明】
【技術分野】
【０００１】
本発明は、例えば木造や軽量鉄骨造等の建築物に、外壁材や内壁材として取付けられる壁パネルの取付金具および取付構造に関する。更に詳しくは、例えばＡＬＣ（軽量気泡コンクリート）パネル等のコンクリート系パネルや窯業系パネルなどよりなる壁パネルを建築物の柱や梁等の建物躯体に取付ける際に用いる壁パネル取付金具およびそれを用いた壁パネル取付構造に関するものである。
【背景技術】
【０００２】
近年、建築物の外壁材や内壁材として用いられる壁パネルの材質としては、上記のようなＡＬＣパネル等のコンクリート系パネルや窯業系パネルなどが多く用いられ、特にＡＬＣパネルは、軽量で、断熱性、耐火性、意匠性等に優れ、また建築現場での切断や取付けが容易なことから、木造や軽量鉄骨造の建築物の外壁材などとして広く利用されている。
【０００３】
上記のようなＡＬＣパネル等よりなる壁パネルは、従来一般に表面が長方形状に形成され、それを建築物の柱や梁等の建物躯体の側面に横長もしくは縦長に配置して、その表面側から木ねじや釘等の固着具を打ち込んで上記建物躯体に直接もしくは胴縁等を介して取付けるようにしている。しかし、上記のように壁パネルを、その表面側から木ねじや釘等の固着具を打ち込んで取付けるものは、その固着具の頭部がパネル表面に露出して外観体裁を損ねるおそれがある。
【０００４】
そこで、上記木ねじや釘等の固着具の頭部をパネル表面から所定の深さに形成した凹部内に打ち込んで、その凹部をパテや補修剤等の充填材で閉塞するようにしているが、その閉塞作業はパネル取付作業とは別に行わなければならず、作業が煩雑かつ面倒で施工コストが増大する等の不具合がある。またパネル表面に予めタイルを貼着したり、塗装を施こす等の仕上げ処理をした壁パネルにあっては、その表面側から該パネルを貫通する木ねじや釘等の固着具を用いて取付けることはできない。
【０００５】
そのため、例えば下記特許文献１においては、建物躯体に固定するための基部と、この基部に一体に形成され、壁パネル（ＡＬＣパネル）の小口面に沿って延びる腕部と、この腕部に一体に形成され、小口面に形成された目地溝内に係合する係合部とを有する取付金具を用いることが提案されている。すなわち、建物躯体に取付けた取付金具の基部に上記壁パネルの背面を当接させると共に、上記取付金具の係合部を、上記小口面に形成した目地溝に係合させることによって、上記取付金具の基部と係合部との間に、上記小口面側の壁パネルの縁部を挟んで固定する構成である。
【０００６】
しかし、上記のように取付金具の基部と係合部との間に壁パネルの縁部を挟んで固定するものは、両者に寸法精度のバラツキ等があると、往々にしてガタ付くおそれがある。そのガタ付きを防ぐには、上記取付金具の基部と係合部との間隔および上記壁パネルの縁部の厚さ寸法に高い精度が要求され、そのれらの製作が困難となる。また上記特許文献１のように取付金具の係合部を、壁パネルの小口面に形成された目地溝に係合させるものは、目地溝を有しない壁パネルには使用できない等の不具合がある。
【０００７】
上記の不具合を解消するため、下記特許文献２においては、建物躯体に直接あるいは間接的に固定される基部と、この基部からパネル方向に向けて延設され、隣接する壁パネルの小口面間に介在される腕部と、この腕部から隣接する一方の壁パネルの小口面方向に向けて延設され、隣接する一方の壁パネルの小口面に打ち込まれる爪部とを有する取付金具Ａと、隣接する壁パネルの躯体側板面に当接される基部と、この基部からパネル方向に向けて延設され、隣接する壁パネルの小口面間に介在される腕部と、この腕部から隣接する他方の壁パネルの小口面方向に向けて延設され、前記隣接する他方の壁パネルの小口面に打ち込まれる爪部とを有する取付金具Ｂとの２種類の取付金具を用いることが提案されている。
【０００８】
しかしながら、上記のように２種類の取付金具を用いるものは、それらの取付金具を各々別々に製造しなければならないので製造コストが増大すると共に、上記２種類の取付金具の使い分けや取扱い及び維持管理等が煩雑かつ面倒である等の問題がある。また上記各取付金具Ａ，Ｂと壁パネルとの結合は、各取付金具Ａ，Ｂに設けた爪部を、それぞれパネル小口面に打ち込んで固定するものであるから、万一上記爪部を打ち込む壁パネルの部位に予め若しくは爪部を打ち込んだ後に欠落や気泡等があると、良好に取付けることができない等の問題がある。
【０００９】
【特許文献１】特開２０００−３４７９５号公報
【特許文献２】特開２００２−２４２３４７号公報
【発明の開示】
【発明が解決しようとする課題】
【００１０】
本発明は上記の問題点に鑑みて提案されたもので、単一の種類の取付金具で壁パネルを建物躯体に良好に取付け支持させることのできる壁パネル取付金具および取付構造を提供することを目的とする。
【課題を解決するための手段】
【００１１】
上記の目的を達成するために本発明による壁パネル取付金具および取付構造は、以下の構成としたものである。即ち、本発明による壁パネル取付金具は、建物躯体に上下方向及び又は横方向に並べて敷設される壁パネルを、その各壁パネルの小口面において上記建物躯体または隣接する壁パネルに取付け支持させるための壁パネル取付金具であって、上記建物躯体または隣接する壁パネルに取付け支持させるための横断面Ｌ字形の基部と、そのＬ字形の基部の一方の片のほぼ中央部にそれと一体に且つほぼ垂直に設けられ、隣接する壁パネルの小口面間に介在される腕部とを有し、その腕部の両側の上記基部に、上記取付金具を建物躯体または隣接する壁パネルに取付け支持させるための取付孔を設けると共に、上記腕部を壁パネルの小口面に固定するための木ねじや釘等の固定具の挿通孔、または上記腕部を壁パネルの小口面に打ち込み固定するための爪部を上記腕部に設けたことを特徴とする。
【００１２】
また本発明による壁パネル取付構造は、建物躯体に上下方向及び又は横方向に並べて敷設される壁パネルを、その各壁パネルの小口面において取付金具を介して上記建物躯体または隣接する壁パネルに取付け支持させるようにした壁パネル取付構造であって、隣接する一方の壁パネルを、その小口面に固定した上記の壁パネル取付金具よりなる第１の取付金具を介して上記建物躯体に取付けると共に、隣接する他方の壁パネルを、その小口面に固定した上記の壁パネル取付金具よりなる第２の取付金具を介して上記一方の壁パネルに位置決め保持させるようにしたことを特徴とする。
【発明の効果】
【００１３】
上記のように本発明による壁パネル取付金具およびそれを用いた壁パネル取付構造は、上記の構成であるから、１種類の壁パネル取付金具によって、隣接する一方の壁パネルの小口面を建物躯体に取付けると共に、他方の壁パネルの小口面を上記一方の壁パネルの小口面に対向する位置に位置決め保持させることが可能となる。従って、前記従来例のように、隣接する一方の壁パネルの小口面を建物躯体に取付けるための取付金具と、他方の小口面を上記一方の小口面に対向する位置に位置決め保持させるための取付金具とを各々別々に設ける必要がなくなる。また上記壁パネル取付金具の基部を横断面Ｌ字形に形成したことによって、壁パネルを建物躯体の外側からはもとより、建物躯体の内側からでも容易に取付けることが可能となる。その結果、壁パネル取付金具の製造コストを低減できると共に、壁パネルの取付作業や取付金具の維持管理等を簡素化することが可能となる。
【発明を実施するための最良の形態】
【００１４】
以下、本発明による壁パネル取付金具およびそれを用いた壁パネル取付構造を図に示す実施形態に基づいて具体的に説明する。図１（ａ）は本発明による壁パネル取付金具の一実施形態を示す正面図、（ｂ）はその側面図、図２（ａ）は上記実施形態の壁パネル取付金具の斜視図、（ｂ）はその壁パネル取付金具を上下反転した状態の斜視図である。
【００１５】
本実施形態の壁パネル取付金具１は、該取付金具１を建物躯体または壁パネルに取付けるための横断面Ｌ字形の基部１１と、そのＬ字形の基部１１の一方の片１１ａの略中央部に、それと一体に且つ略垂直に設けられ、隣接する壁パネルの小口面間に介在される腕部１２とを設けた構成である。図示例は平板状の金属板１０を折曲げて壁パネル取付金具１を形成したもので、特に図の場合は略長方形状の金属板１０をほぼ直角に折り曲げて横断面Ｌ字形の基部１１を形成すると共に、その横断面Ｌ字形の基部１１の２つの片１１ａ・１１ｂのうちの一方の片１１ａの一部を、その片１１ａと略直角に折り曲げて、その折曲部を腕部１２としたものである。従って、上記一方の片１１ａの一端（図の場合は図１（ａ）で上端）１１ａ１の幅（図１（ａ）で左右方向の長さ）は、他端（図１（ａ）で下端）１１ａ２の幅よりも上記腕部１２の幅（図１（ａ）で左右方向の長さ）の分だけ狭く形成され、上記他方の片１１ｂの幅（図１（ｂ）で左右方向の長さ）は、その一端（図１（ｂ）で上端）１１ｂ１側から他端（図１（ｂ）で下端）１１ｂ２側までほぼ一定に形成されている。
【００１６】
また、上記腕部１２を中心にして、その両側の上記基部１１には、該基部を１１を建物躯体または壁パネルに取付けるための取付孔１３を設けると共に、上記腕部１２には、該腕部１２を壁パネルの小口面に固定するための木ねじや釘等の固定具の挿通孔１４が設けられている。上記取付孔１３は図の場合は、上記基部１１の一方の片１１ａの他端１１ａ２側と、他方の片１１ｂの両端１１ｂ１・１１ｂ２側にそれぞれ１つずつ設けた構成であるが、その取付孔１３の位置や個数は適宜である。また上記挿通孔１４は図の場合は上記腕部１２に１つ設けたが、複数個設けるようにしてもよい。
【００１７】
図３および図４は上記のように構成された壁パネル取付金具１を用いてＡＬＣパネル等よりなる壁パネル２を建物躯体に取付けた壁パネル取付構造の一実施形態を示すもので、図３は要部の斜視図、図４は図３の一部の拡大斜視図である。本実施形態は長方形状の壁パネル２を横長に配置して、木造建築における柱５１や間柱５２等の建物躯体５の側面に上下および横方向に並べた状態で、その各壁パネル２を、第１の取付金具１Ａと第２の取付金具１Ｂとにより上記建物躯体５に取付け支持させるようにしたもので、その各取付金具１Ａ，１Ｂとして上記図１および図２の壁パネル取付金具１を用いたものである。
【００１８】
具体的には、互いに隣接する壁パネル２・２のうちの一方の壁パネル２を、その小口面に固定した上記壁パネル取付金具１よりなる第１の取付金具１Ａを介して上記建物躯体５に取付けると共に、他方の壁パネル２を、その小口面に固定した上記壁パネル取付金具１よりなる第２の取付金具１Ｂを介して上記一方の壁パネル２に位置決め保持させるようにしたものである。特に、図の場合は上下方向に隣接する壁パネル２・２のうちの下側の壁パネル２を、その上側の長辺小口面に固定した第１の取付金具１Ａで建物躯体５に取付けると共に、上側の壁パネル２を、その下側の長辺小口面に固定した第２の取付金具１Ｂを介して上記下側の壁パネルに位置決め保持させるようにしたものである。
【００１９】
上記第１の取付金具１Ａは、前記図２（ａ）のように基部１１の各片１１ａ・１１ｂの一端１１ａ１・１１ｂ１側が上になるようにして、図３および図４に示すように下側の壁パネル２上に配置し、その取付金具１Ａの腕部１２に形成した固定具挿通孔１４から上記下側のパネル２の長辺小口面内に木ねじや釘等の固定具４を挿通して上記腕部１２を介して上記第１の取付金具１Ａを下側の壁パネル２に固定すると共に、その第１の取付金具１Ａの基部１１に形成した取付孔１３から柱５１や間柱５２等の建物躯体５に木ねじや釘等の取付具３を挿入して上記取付金具１Ａを上記建物躯体５に取付けた構成である。
【００２０】
また上記第２の取付金具１Ｂは、前記図２（ｂ）のように基部１１の各片１１ａ・１１ｂの他端１１ａ２・１１ｂ２側が上になるようにして、図３および図４に示すように取付金具１Ｂの腕部１２に形成した固定具挿通孔１４に木ねじや釘等の固定具４を挿通して該腕部１２を介して上記取付金具１Ｂを上側の壁パネル２の下側の長辺小口面に固定すると共に、上記取付金具１Ｂの基部１１の上記腕部１２よりも図で上方に形成した取付孔１３に木ねじや釘等の取付具３を挿入して上記取付金具１Ｂを上側の壁パネル２の背面に取付け支持させた構成である。なお、上記上側の壁パネル２に対して第２の取付金具１Ｂを充分に固定可能であれば、上記固定具４による固定と、上記取付具３による固定のいずれか一方のみでもよい。
【００２１】
そして上記第２の取付金具１Ｂの基部１１の下側の端部、図の場合は前記一方の片１１ａの端部１１ａ１を、下側の壁パネル２の背面に添わせることによって、上側の壁パネル２を下側の壁パネル２に位置決め保持させるようにしたもので、それによって上側の壁パネル２の厚さ方向の配置位置が下側の壁パネル２と一致した状態に保持されている。すなわち、上記上側の壁パネル２は、上記取付金具１Ｂの基部１１の一方の片１１ａの端部１１ａ１が下側の壁パネル２の背面に当接することによって、建物躯体５と反対側に移動するのが防止され、それと反対側には上記上側の壁パネル２が、前記第１の取付金具１Ａの基部１１を介して建物躯体５に当接することによって該建物躯体５側への移動が阻止される構成である。
【００２２】
次に、上記のように構成された壁パネル取付構造を施工する際の手順等について説明する。その手順は適宜であるが、上記のように長方形状の壁パネル２を横長に配置して前記の柱５１や間柱５２等の建物躯体５の側面に上下方向に並べて敷設する場合には、好ましくは上記壁パネル２を下から順に積み上げるようにして施工するとよく、先ず、上記建物躯体５の側面の最下部に壁パネル２を横長に配置して、その下側の長尺小口面を適宜の手段で固定する。その手段としては、例えば最下位の壁パネルを土台の上に載置して固定する、或いは図３の第１の取付金具１Ａを上下逆に反転して該取付金具を介して最下位の壁パネルの下側の長辺小口面を建物躯体５に取付ける等その他適宜である。
【００２３】
次いで、上記最下位の壁パネル２の上側の長辺小口面を、図５に示すように前記の壁パネル取付金具１よりなる第１の取付金具１Ａを介して上記柱５１や間柱５２等の建物躯体５に取付けるもので、その際、第１の取付金具１Ａを取付具３で建物躯体５に取付けてから該取付金具１Ａの腕部１２を固定具４で長辺小口面に固定してもよく、或いは上記腕部１２を長辺小口面に固定してから第１の取付金具１Ａを建物躯体５に取付けるようにしてもよい。
【００２４】
そして上記のようにして最下位の壁パネル２が建物躯体５の側面に取付けられたところで、その壁パネル２の上に図５に示すように上側の壁パネル２を横長にして載置するもので、その際、上側の壁パネル２の下側の長辺小口面には、図のように予め第２の取付金具１Ｂを所定の位置に取付けておく。その第２の取付金具１Ｂの壁パネル２に対する取付位置や個数は適宜であるが、少なくとも上記第１の取付金具１Ａと干渉しない位置に取付ける。また、その取付方法としては前述のように取付金具１Ｂの腕部１２に形成した貫通孔１４に木ねじや釘等の固定具４を挿通して上記パネル２の小口面に固定すると共に、基部１１に形成した貫通孔１３に木ねじや釘等の取付具３を挿通して上記取付金具１Ｂを上側の壁パネル２の背面に取付ける。なお、前述のように上記固定具４による固定と、上記取付具３による固定のいずれか一方のみでもよい。
【００２５】
上記のようにして上側の壁パネル２の下側の所定位置に第２の取付金具１Ｂを取付けたところで、図５に示すように上記第２の取付金具１Ｂの基部１１の下端、図の場合は前記一方の片１１ａの端部１１ａ１を下側の壁パネル２の背面側に挿入すると共に、上側の壁パネル２の背面側を第１の取付金具１Ａの基部１１を介して柱５１や間柱５２等の建物躯体５に当接させた状態で上記上側の壁パネル２を最下位の壁パネル２上に載置すればよく、それによって上側の壁パネル２が、その下側の壁パネル２の上に載置され、両パネルの厚さ方向の配置位置が一致した状態で連続的に保持される。
【００２６】
その状態で、上側の壁パネル２の上部を上記と同様の第１の取付金具１Ａで柱５１や間柱５２等の建物躯体５に取付け、さらに、その上方に上記と同様の要領で更に上側の壁パネル２を取付けると共に、必要に応じて建物躯体５の横方向にも壁パネル２を取付けていけば、建物躯体５の側面に壁パネル２を縦横に並べた状態で敷設することができるものである。そして、その各壁パネル２は、前記の壁パネル取付金具１を用いた第１の取付金具１Ａと第２の取付金具１Ｂとによって、良好に取付けることができるもので、特に上記第１の取付金具１Ａと第２の取付金具１Ｂとして共通１種類の前記の壁パネル取付金具１を用いるようにしたので、製造が簡単で容易・安価に製造できると共に、取付金具の維持管理や取扱が容易となる等の効果が得られる。
【００２７】
また本発明による壁パネル取付金具１および第１と第２の取付金具１Ａ，１Ｂの基部を横断面Ｌ字形に形成したから、壁パネル２を建物躯体５の外側から取付ける場合はもとより、建物躯体５の内側から取付けることも可能である。例えば隣接する建物が接近しているため建物躯体の外側から壁パネル２を取付けることができない場合でも建物躯体５の内側から取付けることができる。例えば前記図４および図５において下側の壁パネル２の上部を第１の取付金具１Ａで建物躯体５に取付ける場合に、その第１の取付金具１Ａの腕部１２を固定具４で下側の壁パネル２に固定したり、その取付金具１Ａの基部を取付具３で建物躯体５に取付ける作業は上記建物躯体５の外側（図４および図５において手前側）および内側（図４および図５において奥側）のいずれからでも施工可能である。また前記上側の壁パネル２を前記第２の取付金具１Ｂによって下側の壁パネル２に位置決め保持させる場合も同様である。
【００２８】
なお、上記の構成において、第１の取付金具１Ａの上下の向きは変更可能であり、図６はその一例を示すもので、前記図４における第１の取付金具１Ａの向きを上下反転させて用いたものである。上記のように変更した場合においても前記実施形態とほぼ同様の作用効果が得られる。
【００２９】
また上記各施形態は、取付金具１，１Ａ，１Ｂの腕部１２を壁パネル２の小口面に固定する手段として木ねじや釘等の固定具４を用い、その固定具４の挿通孔１４を上記腕部１２に形成したが、上記腕部を壁パネル２の小口面に打ち込み固定するための爪部１２ａを上記腕部１２に設けるようにしてもよい。
【００３０】
図７および図８はその一例を示すもので、図７（ａ）は本発明による壁パネル取付金具の他の実施形態を示す正面図、同図（ｂ）はその側面図、図８（ａ）は上記実施形態の壁パネル取付金具の斜視図、同図（ｂ）はその壁パネル取付金具を上下反転した状態の斜視図である。本実施形態の壁パネル取付金具１は、腕部１２の基部１１と反対側の端部に一対の三角形状の爪部１２ａを上記腕部１２と一体に設けたもので、他の構成は前記図１および図２の実施形態と同様である。
【００３１】
図９は前記図４の実施形態における第１の取付金具１Ａおよび第２の取付金具１Ｂとして前記図１および図２の壁パネル取付金具１の代わりに上記図７および図８の壁パネル取付金具１を用いたもので、第１の取付金具１Ａは、その腕部１２に設けた爪部１２ａを下側の壁パネル２の上側の長辺小口面に打ち込んで固定し、第２の取付金具１Ｂは、その腕部１２に設けた爪部１２ａを上側の壁パネル２の下側の長辺小口面に打ち込んで固定したものである。他の構成は前記実施形態と同様であり、同様の作用効果が得られる。
【００３２】
さらに上記各実施形態は、長方形状の壁パネル２を横長に配置して建物躯体５に直接取付けるようにしたが、胴縁等を介して建物躯体５に間接的に取付けるようにしてもよく、また上記パネル２を縦長に配置して建物躯体５に直接あるいは間接的に取付けるようにしてもよい。また上記壁パネル２の形状は長方形状に限らず各種の形状のものにも適用可能である。
【産業上の利用可能性】
【００３３】
以上のように本発明による壁パネル取付金具およびそれを用いた壁パネル取付構造は、上記の構成であるから、１種類の壁パネル取付金具１によって、隣接する一方の壁パネル２を建物躯体に取付けると共に、他方の壁パネル２を上記一方の壁パネルに位置決め保持させることができる。そのため、前記従来例のように、隣接する一方の壁パネルを建物躯体に取付けるための取付金具と、他方の壁パネルを上記一方の壁パネルに位置決め保持させるための取付金具とを各々別々に設ける必要がなくなり、壁パネル取付金具を容易・安価に製造することが可能となる。しかも、上記取付金具１の基部を横断面Ｌ字形に形成したから、壁パネル２を建物躯体の外側はもとより、内側からでも容易に取付けることができる。従って、壁パネル取付金具の維持管理や施工等を簡素化することが可能となり、産業上も有効に利用することができるものである。
【図面の簡単な説明】
【００３４】
【図１】（ａ）は本発明による壁パネル取付金具の一実施形態を示す正面図、（ｂ）はその側面図。
【図２】（ａ）は上記実施形態の壁パネル取付金具の斜視図、（ｂ）はその壁パネル取付金具を上下反転した状態の斜視図。
【図３】上記の壁パネル取付金具を用いた本発明による壁パネル取付構造の一実施形態を示す斜視図。
【図４】上記実施形態の一部の拡大斜視図。
【図５】建物躯体に壁パネルを取付ける状態の説明図。
【図６】本発明による壁パネル取付構造の他の実施形態を示す一部の拡大斜視図。
【図７】（ａ）は本発明による壁パネル取付金具の他の実施形態を示す正面図、（ｂ）はその側面図。
【図８】（ａ）は上記実施形態の壁パネル取付金具の斜視図、（ｂ）はその壁パネル取付金具を上下反転した状態の斜視図。
【図９】上記の壁パネル取付金具を用いた本発明による壁パネル取付構造の一実施形態を示す一部の拡大斜視図。
【符号の説明】
【００３５】
１  壁パネル取付金具
１１  基部
１１ａ、１１ｂ  片
１１ａ１、１１ｂ１  一端
１１ａ２、１１ｂ２  他端
１２  腕部
１２ａ  爪部
１３  取付孔
１４  挿通孔
２  壁パネル
３  取付具
４  固定具
５  建物躯体
５１  柱
５２  間柱
【図１】
2010126974.tif 000003
【図２】
2010126974.tif 000004
【図３】
2010126974.tif 000005
【図４】
2010126974.tif 000006
【図５】
2010126974.tif 000007
【図６】
2010126974.tif 000008
【図７】
2010126974.tif 000009
【図８】
2010126974.tif 000010
【図９】
2010126974.tif 000011